(57)【特許請求の範囲】
【請求項１】
互いに異なる色度の光を照射する複数の固体発光素子群の点灯制御を行う点灯制御部と、
前記固体発光素子群の各々の目標出力比を設定する色比率設定部とを備え、
前記点灯制御部は前記固体発光素子群毎に設けられ、
ＸＹＺ表色系のｘｙ色度図上において、複数の前記固体発光素子群のうち第１，第２の固体発光素子群が照射する光の色度点同士を結んだ直線は黒体軌跡と交差しており、
複数の前記点灯制御部は、前記第１の固体発光素子群の点灯制御を行う第１の点灯制御部と、前記第２の固体発光素子群の点灯制御を行う第２の点灯制御部とを具備し、
前記第１，第２の点灯制御部は、前記第１，第２の固体発光素子群の出力比が前記目標出力比と一致するようにフィードバック制御し、
前記第２の点灯制御部は、前記第１の固体発光素子群に供給される電力に基づいた基準値と、前記第２の固体発光素子群に供給される電力とが一致するようにフィードバック制御することを特徴とする発光装置。
【請求項２】
互いに異なる色度の光を照射する複数の固体発光素子群の点灯制御を行う点灯制御部と、
前記固体発光素子群の各々の目標出力比を設定する色比率設定部とを備え、
前記点灯制御部は前記固体発光素子群毎に設けられ、
ＸＹＺ表色系のｘｙ色度図上において、複数の前記固体発光素子群のうち第１，第２の固体発光素子群が照射する光の色度点同士を結んだ直線は黒体軌跡と交差しており、
複数の前記点灯制御部は、前記第１の固体発光素子群の点灯制御を行う第１の点灯制御部と、前記第２の固体発光素子群の点灯制御を行う第２の点灯制御部とを具備し、
前記第１，第２の点灯制御部は、前記第１，第２の固体発光素子群の出力比が前記目標出力比と一致するようにフィードバック制御し、
前記第１の点灯制御部は、
前記第１の固体発光素子群に電力を供給する第１の駆動回路と、
前記第１の駆動回路が前記第１の固体発光素子群に供給する電力を検出する第１の検出部と、
前記第１の検出部の検出結果と、所定の第１の基準値とが一致するように前記第１の駆動回路をフィードバック制御する第１の制御回路とで構成され、
前記第２の点灯制御部は、
前記第２の固体発光素子群に電力を供給する第２の駆動回路と、
前記第２の駆動回路が前記第２の固体発光素子群に供給する電力を検出する第２の検出部と、
前記第１の検出部の検出結果に基づく第２の基準値と、第２の検出部の検出結果とが一致するように前記第２の駆動回路をフィードバック制御する第２の制御回路とで構成されることを特徴とする発光装置。
【請求項３】
前記第１の基準値を変動させる出力制御部を備えることを特徴とする請求項２記載の発光装置。
【請求項４】
前記第１，第２の駆動回路は、前記目標出力比に基づいてオン期間が各々設定された間欠電流を前記第１，第２の固体発光素子群に供給しており、
前記第１，第２の検出部は、前記オン期間において前記第１，第２の駆動回路から前記第１，第２の固体発光素子群に供給される電流の振幅値を検出しており、
前記第１の制御回路は、前記オン期間において前記第１の固体発光素子群に流れる電流の振幅値が、前記第１の基準値と一致するようにフィードバック制御を行い、
前記第２の制御回路は、前記オン期間において前記第２の固体発光素子群に流れる電流の振幅値が、前記オン期間において前記第１の固体発光素子群に流れる電流の振幅値と一致するようにフィードバック制御を行うことを特徴とする請求項２または３記載の発光装置。
【請求項５】
前記第２の基準値は、前記第１の固体発光素子群に対する第２の固体発光素子群の前記目標出力比を前記第１の検出部の検出結果に乗算することで生成されることを特徴とする請求項２または３記載の発光装置。
【請求項６】
前記第１，第２の固体発光素子群の合計出力に対する、前記第１の検出部の検出結果と前記第１の基準値との差の割合を算出する誤差算出部を備え、
前記第２の基準値は、前記第１の固体発光素子群に対する前記第２の固体発光素子群の目標出力比を前記誤差算出部の算出結果に乗算し、当該乗算結果と前記目標出力比に応じた第３の基準値とを加算することで生成されることを特徴とする請求項２または３記載の発光装置。
【請求項７】
互いに異なる色度の光を照射する複数の固体発光素子群の点灯制御を行う点灯制御部と、
前記固体発光素子群の各々の目標出力比を設定する色比率設定部とを備え、
前記点灯制御部は前記固体発光素子群毎に設けられ、
ＸＹＺ表色系のｘｙ色度図上において、複数の前記固体発光素子群のうち第１，第２の固体発光素子群が照射する光の色度点同士を結んだ直線は黒体軌跡と交差しており、
複数の前記点灯制御部は、前記第１の固体発光素子群の点灯制御を行う第１の点灯制御部と、前記第２の固体発光素子群の点灯制御を行う第２の点灯制御部とを具備し、
前記第１，第２の点灯制御部は、前記第１，第２の固体発光素子群の出力比が前記目標出力比と一致するようにフィードバック制御し、
前記第１の点灯制御部は、
前記第１の固体発光素子群に電力を供給する第１の駆動回路と、
前記第１の駆動回路が前記第１の固体発光素子群に供給する電力を検出する第１の検出部と、
前記第１の駆動回路をフィードバック制御する第１の制御回路とで構成され、
前記第２の点灯制御部は、
前記第２の固体発光素子群に電力を供給する第２の駆動回路と、
前記第２の駆動回路が前記第２の固体発光素子群に供給する電力を検出する第２の検出部と、
前記第２の駆動回路をフィードバック制御する第２の制御回路とで構成され、
前記第１，第２の検出部の検出結果を加算することで合計検出結果を生成する加算部と、
前記合計検出結果を所定の比率で分割して前記第１，第２の点灯制御部毎に分割検出結果を生成し、当該分割検出結果を前記第１，第２の点灯制御部の各々に出力する分割部とをさらに備え、
前記第１，第２の制御回路は、自己に出力された前記分割検出結果が、自己に設定された基準値に一致するようにフィードバック制御することを特徴とする発光装置。
【請求項８】
前記第１，第２の駆動回路は、前記目標出力比に基づいてオン期間が各々設定された間欠電流を前記第１，第２の固体発光素子群に供給しており、
前記第１，第２の検出部は、前記オン期間において前記第１，第２の駆動回路から前記第１，第２の固体発光素子群に供給される電流の振幅値を検出しており、
前記加算部は、前記オン期間において前記第１，第２の固体発光素子群の各々に流れる電流の振幅値を加算することで前記合計検出結果を生成し、
前記分割部は、前記合計検出結果を２で除算することで前記分割検出結果を生成することを特徴とする請求項７記載の発光装置。
【請求項９】
前記分割部は、前記合計検出結果を前記目標出力比に基づいて分割することで前記第１，第２の点灯制御部毎に前記分割検出結果を生成し、当該分割検出結果を前記第１，第２の点灯制御部の各々に出力することを特徴とする請求項７記載の発光装置。
【請求項１０】
請求項１乃至９のうちいずれか１項に記載の発光装置と、
前記発光装置によって点灯される複数の固体発光素子群と、
前記発光装置を収納し、前記複数の固体発光素子群が取り付けられる器具本体とを備えることを特徴とする照明装置。
【発明の詳細な説明】
【技術分野】
【０００１】
本発明は、発光装置および、これを用いた照明装置に関するものである。
【背景技術】
【０００２】
従来、互いに異なる色度（赤色，緑色，青色）の光を照射する３つの固体発光素子群の点灯制御を行う点灯制御部を固体発光素子群毎に備えた発光装置がある（例えば、特許文献１参照）。この発光装置は、３つの固体発光素子群の出力を個別に制御し、その出力比を制御することで各固体発光素子群による混色光の色度を可変させている。また、混色光の照度（出力）および光の色度を同時に可変し、快適な照明光を得ることができる発光装置もある。
【０００３】
従来の発光装置において、点灯制御部は、固体発光素子群に電流を供給する駆動回路と、この駆動回路を制御する制御回路とを備えている。そして、各固体発光素子群による混色光を所望の色度にするために、各固体発光素子群の出力比が目標出力比と一致するように制御する必要がある。そのために、点灯制御部の各々は、固体発光素子群に供給する電流が各々に設定された目標値となるようにフィードバック制御を行っている。それによって、各固体発光素子群の出力比が目標出力比と一致し、混色光が所望の色度となる。
【０００４】
例えば、３つの固体発光素子群が照射する光の色度が、図１２に示すＸＹＺ表色系のｘｙ色度図上における色座標Ｐｒ（赤色），Ｐｇ（緑色），Ｐｂ（青色）であるとする。この場合、各固体発光素子群の出力比を所定の目標出力比とすることで、混色光の色度を黒体軌跡ＢＬ上の色座標Ｐ０とすることができる。
【先行技術文献】
【特許文献】
【０００５】
【特許文献１】特開２０１０−１７６９８４号公報
【発明の概要】
【発明が解決しようとする課題】
【０００６】
上述したように、各固体発光素子群による混色光を所望の色度にするためには、固体発光素子群の出力比を目標出力比に一致させる必要がある。しかし、駆動回路や制御回路に用いる部品の個体差等によって、固体発光素子群に供給される電流が目標値からずれるおそれがある。それによって、固体発光素子群の出力が変動し、各固体発光素子群の出力比が目標出力比からずれてしまう。それによって、混色光の色度が所望の色度に対して大きくずれ、混色光の色再現性が低下する。
【０００７】
特に、黒体軌跡ＢＬからの偏差ｄｕｖ（以降、偏差ｄｕｖと称す）が大きい場合、所望の色度に対する混色光の色の違いが大きく感じられる。この偏差ｄｕｖの変動は、黒体軌跡ＢＬを挟んだ色度に位置する色座標Ｐｒ（赤色）と色座標Ｐｇ（緑色）とを照射する２つの固体発光素子群の出力比における目標出力比に対するバラツキに起因する。
【０００８】
図１３に示すように、各目標値に対して、赤色が増加方向，緑色が増加方向，青色が減少方向に出力変動が発生した場合、混色光の色座標はＰ１となる。また、各目標値に対して、赤色が減少方向，緑色が減少方向，青色が増加方向に出力変動が発生した場合、混色光の色座標はＰ２となる。このように、赤色と緑色とが目標値に対して同一方向に出力変動が発生した場合、赤色と緑色の出力比は目標出力比に対するバラツキが小さい。この場合、混色光の色度の偏差ｄｕｖは小さく、所望の色度（色座標Ｐ０）に対する混色光の色の違いは大きく感じられない。
【０００９】
しかし、各目標値に対して、赤色が増加方向，緑色が減少方向，青色が減少方向に出力変動が発生した場合、混色光の色座標はＰ３となる。また、各目標値に対して、赤色が増加方向，緑色が減少方向，青色が増加方向に出力変動が発生した場合、混色光の色座標はＰ４となる。また、各目標値に対して、赤色が減少方向，緑色が増加方向，青色が増加方向に出力変動が発生した場合、混色光の色座標はＰ５となる。また、各目標値に対して、赤色が減少方向，緑色が増加方向，青色が減少方向に出力変動が発生した場合、混色光の色座標はＰ６となる。このように、赤色と緑色とが目標値に対して異なる方向に出力変動が発生した場合、赤色と緑色の出力比は目標出力比に対するバラツキが大きい。この場合、混色光の色度の偏差ｄｕｖが大きくなり、所望の色度（色座標Ｐ０）に対する混色光の色の違いが大きく感じられる。
【００１０】
本発明は、上記事由に鑑みてなされたものであり、その目的は、黒体軌跡からの偏差を低減し、混色光の色再現性を向上させることができる発光装置および、これを用いた照明装置を提供することにある。
【課題を解決するための手段】
【００１１】
本発明の発光装置は、互いに異なる色度の光を照射する複数の固体発光素子群の点灯制御を行う点灯制御部と、前記固体発光素子群の各々の目標出力比を設定する色比率設定部とを備え、前記点灯制御部は前記固体発光素子群毎に設けられ、ＸＹＺ表色系のｘｙ色度図上において、複数の前記固体発光素子群のうち第１，第２の固体発光素子群が照射する光の色度点同士を結んだ直線は黒体軌跡と交差しており、複数の前記点灯制御部は、前記第１の固体発光素子群の点灯制御を行う第１の点灯制御部と、前記第２の固体発光素子群の点灯制御を行う第２の点灯制御部とを具備し、前記第１，第２の点灯制御部は、前記第１，第２の固体発光素子群の出力比が前記目標出力比と一致するようにフィードバック制御し、前記第２の点灯制御部は、前記第１の固体発光素子群に供給される電力に基づいた基準値と、前記第２の固体発光素子群に供給される電力とが一致するようにフィードバック制御することを特徴とする。
【００１２】
本発明の発光装置は、互いに異なる色度の光を照射する複数の固体発光素子群の点灯制御を行う点灯制御部と、前記固体発光素子群の各々の目標出力比を設定する色比率設定部とを備え、前記点灯制御部は前記固体発光素子群毎に設けられ、ＸＹＺ表色系のｘｙ色度図上において、複数の前記固体発光素子群のうち第１，第２の固体発光素子群が照射する光の色度点同士を結んだ直線は黒体軌跡と交差しており、複数の前記点灯制御部は、前記第１の固体発光素子群の点灯制御を行う第１の点灯制御部と、前記第２の固体発光素子群の点灯制御を行う第２の点灯制御部とを具備し、前記第１，第２の点灯制御部は、前記第１，第２の固体発光素子群の出力比が前記目標出力比と一致するようにフィードバック制御し、前記第１の点灯制御部は、前記第１の固体発光素子群に電力を供給する第１の駆動回路と、前記第１の駆動回路が前記第１の固体発光素子群に供給する電力を検出する第１の検出部と、前記第１の検出部の検出結果と、所定の第１の基準値とが一致するように前記第１の駆動回路をフィードバック制御する第１の制御回路とで構成され、前記第２の点灯制御部は、前記第２の固体発光素子群に電力を供給する第２の駆動回路と、前記第２の駆動回路が前記第２の固体発光素子群に供給する電力を検出する第２の検出部と、前記第１の検出部の検出結果に基づく第２の基準値と、第２の検出部の検出結果とが一致するように前記第２の駆動回路をフィードバック制御する第２の制御回路とで構成されることを特徴とする。
【００１３】
この発光装置において、前記第１の基準値を変動させる出力制御部を備えることが好ましい。
【００１４】
この発光装置において、前記第１，第２の駆動回路は、前記目標出力比に基づいてオン期間が各々設定された間欠電流を前記第１，第２の固体発光素子群に供給しており、前記第１，第２の検出部は、前記オン期間において前記第１，第２の駆動回路から前記第１，第２の固体発光素子群に供給される電流の振幅値を検出しており、前記第１の制御回路は、前記オン期間において前記第１の固体発光素子群に流れる電流の振幅値が、前記第１の基準値と一致するようにフィードバック制御を行い、前記第２の制御回路は、前記オン期間において前記第２の固体発光素子群に流れる電流の振幅値が、前記オン期間において前記第１の固体発光素子群に流れる電流の振幅値と一致するようにフィードバック制御を行うことが好ましい。
【００１５】
この発光装置において、前記第２の基準値は、前記第１の固体発光素子群に対する第２の固体発光素子群の前記目標出力比を前記第１の検出部の検出結果に乗算することで生成されることが好ましい。
【００１６】
この発光装置において、前記第１，第２の固体発光素子群の合計出力に対する、前記第１の検出部の検出結果と前記第１の基準値との差の割合を算出する誤差算出部を備え、前記第２の基準値は、前記第１の固体発光素子群に対する前記第２の固体発光素子群の目標出力比を前記誤差算出部の算出結果に乗算し、当該乗算結果と前記目標出力比に応じた第３の基準値とを加算することで生成されることが好ましい。
【００１７】
本発明の発光装置は、互いに異なる色度の光を照射する複数の固体発光素子群の点灯制御を行う点灯制御部と、前記固体発光素子群の各々の目標出力比を設定する色比率設定部とを備え、前記点灯制御部は前記固体発光素子群毎に設けられ、ＸＹＺ表色系のｘｙ色度図上において、複数の前記固体発光素子群のうち第１，第２の固体発光素子群が照射する光の色度点同士を結んだ直線は黒体軌跡と交差しており、複数の前記点灯制御部は、前記第１の固体発光素子群の点灯制御を行う第１の点灯制御部と、前記第２の固体発光素子群の点灯制御を行う第２の点灯制御部とを具備し、前記第１，第２の点灯制御部は、前記第１，第２の固体発光素子群の出力比が前記目標出力比と一致するようにフィードバック制御し、前記第１の点灯制御部は、前記第１の固体発光素子群に電力を供給する第１の駆動回路と、前記第１の駆動回路が前記第１の固体発光素子群に供給する電力を検出する第１の検出部と、前記第１の駆動回路をフィードバック制御する第１の制御回路とで構成され、前記第２の点灯制御部は、前記第２の固体発光素子群に電力を供給する第２の駆動回路と、前記第２の駆動回路が前記第２の固体発光素子群に供給する電力を検出する第２の検出部と、前記第２の駆動回路をフィードバック制御する第２の制御回路とで構成され、前記第１，第２の検出部の検出結果を加算することで合計検出結果を生成する加算部と、前記合計検出結果を所定の比率で分割して前記第１，第２の点灯制御部毎に分割検出結果を生成し、当該分割検出結果を前記第１，第２の点灯制御部の各々に出力する分割部とをさらに備え、前記第１，第２の制御回路は、自己に出力された前記分割検出結果が、自己に設定された基準値に一致するようにフィードバック制御することを特徴とする。
【００１８】
この発光装置において、前記第１，第２の駆動回路は、前記目標出力比に基づいてオン期間が各々設定された間欠電流を前記第１，第２の固体発光素子群に供給しており、前記第１，第２の検出部は、前記オン期間において前記第１，第２の駆動回路から前記第１，第２の固体発光素子群に供給される電流の振幅値を検出しており、前記加算部は、前記オン期間において前記第１，第２の固体発光素子群の各々に流れる電流の振幅値を加算することで前記合計検出結果を生成し、前記分割部は、前記合計検出結果を２で除算することで前記分割検出結果を生成することが好ましい。
【００１９】
この発光装置において、前記分割部は、前記合計検出結果を前記目標出力比に基づいて分割することで前記第１，第２の点灯制御部毎に前記分割検出結果を生成し、当該分割検出結果を前記第１，第２の点灯制御部の各々に出力することが好ましい。
【００２０】
本発明の照明装置は、上記の発光装置と、前記発光装置によって点灯される複数の固体発光素子群と、前記発光装置を収納し、前記複数の固体発光素子群が取り付けられる器具本体とを備えることを特徴とする。
【発明の効果】
【００２１】
以上説明したように、本発明では、黒体軌跡からの偏差を低減し、混色光の色再現性を向上させることができるという効果がある。
【図面の簡単な説明】
【００２２】
【図１】実施形態１の発光装置のブロック構成図である。
【図２】（ａ）〜（ｃ）電流の波形図である。
【図３】実施形態２の発光装置のブロック構成図である。
【図４】（ａ）〜（ｃ）制御信号の波形図である。
【図５】（ａ）〜（ｃ）制御信号の波形図である。
【図６】誤差増幅器の別構成を示す回路図である。
【図７】実施形態３の発光装置のブロック構成図である。
【図８】（ａ）（ｂ）制御信号の波形図である。
【図９】実施形態４の発光装置のブロック構成図である。
【図１０】実施形態５の発光装置のブロック構成図である。
【図１１】（ａ）実施形態６の照明装置の外観図である。（ｂ）実施形態６の照明装置の下面図である。
【図１２】ｘｙ色度図である。
【図１３】ｘｙ色度図の一部拡大図である。
【発明を実施するための形態】
【００２３】
以下、本発明の実施の形態を図面に基づいて説明する。
【００２４】
（実施形態１）
本発明の実施形態１の発光装置１のブロック構成図を図１に示す。
【００２５】
本実施形態の発光装置１は、赤色の光を照射する固体発光素子群Ｌｒと、緑色の光を照射する固体発光素子群Ｌｇと、青色の光を照射する固体発光素子群Ｌｂとを所定の出力比で点灯させ、その混色光を照射するものである。固体発光素子群Ｌｒ，Ｌｇ，Ｌｂは、赤色，緑色，青色の光を照射する固体発光素子（発光ダイオード）が３個直列接続されることで構成されている。なお、固体発光素子群Ｌｒ，Ｌｇ，Ｌｂを個別に識別しない場合は、固体発光素子群Ｌと称す。なお、本実施形態の固体発光素子群Ｌは、３個の固体発光素子が直列接続されることで構成されているが、異なる個数の固体発光素子が直並列接続されることで構成されていてもよい。
【００２６】
図１２に示すＸＹＺ表色系のｘｙ色度図上において、固体発光素子群Ｌｒが照射する光の色座標はＰｒ，固体発光素子群Ｌｇが照射する光の色座標はＰｇ，固体発光素子群Ｌｂが照射する光の色座標はＰｂとなる。図１２に示すように、色座標Ｐｒと色座標Ｐｇとを結ぶ直線は、黒体軌跡ＢＬと交差する。そして、固体発光素子群Ｌｒ，Ｌｇ，Ｌｂの出力比を目標出力比とすることで、混色光の色度が黒体軌跡ＢＬ上の色座標Ｐ０となる。また、固体発光素子群Ｌｒ，Ｌｇ，Ｌｂの出力比を変動させることで、混色光の色度を黒体軌跡ＢＬに沿って変動させる。なお、固体発光素子群Ｌｒが本願発明の第１の固体発光素子群に相当し、固体発光素子群Ｌｇが本願発明の第２の固体発光素子群に相当する。
【００２７】
本実施形態の発光装置１は、固体発光素子群Ｌｒ，Ｌｇ，Ｌｂの点灯制御を行う点灯制御部２ｒ，２ｇ，２ｂと、固体発光素子群Ｌｒ，Ｌｇ，Ｌｂの目標出力比を設定する色比率設定部３と、出力制御部４とで構成されている。そして、本実施形態の発光装置１は、点灯制御部２ｒ，２ｇ，２ｂが固体発光素子群Ｌｒ，Ｌｇ，Ｌｂに間欠電流を供給し、そのオン期間を制御することで固体発光素子群Ｌｒ，Ｌｇ，Ｌｂの出力を制御するバースト調光を行う。そして、点灯制御部２ｒ，２ｇ，２ｂは、固体発光素子群Ｌｒ，Ｌｇ，Ｌｂの出力比が目標出力比となるように制御する。なお、点灯制御部２ｒ，２ｇ，２ｂは同一構成である。以下、点灯制御部２ｒに関連する構成には符号の末尾に「ｒ（Ｒ）」を付し、点灯制御部２ｇに関連する構成には符号の末尾に「ｇ（Ｇ）」を付し、点灯制御部２ｂに関連する構成には符号の末尾に「ｂ（Ｂ）」を付し、個別に識別しない場合は末尾のアルファベットを省略する。
【００２８】
本実施形態の色比率設定部３は、マイクロコンピュータ３１（以下、マイコン３１と略称する）で構成されており、マイコン３１には各固体発光素子群Ｌの目標出力比が設定されている。そして、マイコン３１は、この目標出力比に基づいて各点灯制御部２が固体発光素子群Ｌに供給する電流Ｉのオン期間を決定し、各点灯制御部２に指示する。そして、各点灯制御部２は、電流Ｉのオン期間がマイコン３１によって指示された値となるように制御した電流Ｉを各固体発光素子群Ｌに供給する。
【００２９】
次に、点灯制御部２の具体的な構成および制御について説明する。点灯制御部２は、駆動回路２１と、制御回路２２と、誤差増幅器２３と、電流検出部２４と、ピーク電流検出部２５とで構成されている。
【００３０】
駆動回路２１は、固体発光素子群Ｌに電流Ｉを供給することで、固体発光素子群Ｌを点灯させる。
【００３１】
制御回路２２は、駆動回路２１を制御することで電流Ｉを制御する。図２（ａ）〜（ｃ）に示すように、電流Ｉｒ，Ｉｇ，Ｉｂはオン期間とオフ期間とを繰り返す間欠電流で構成されている。制御回路２２ｒ，２２ｇ，２２ｂは、マイコン３１からの指示に基づいて、期間Ｔ１におけるオン期間Ｔｏｎ１ｒ，Ｔｏｎ１ｇ，Ｔｏｎ１ｂを制御する。
【００３２】
電流検出部２４は、駆動回路２１から固体発光素子群Ｌに供給される電流Ｉを検出し、検出結果をピーク電流検出部２５に出力する。
【００３３】
ピーク電流検出部２５は、電流検出部２４の検出結果からオン期間Ｔｏｎ１における電流Ｉの振幅値（以降、ピーク値Ｉｐと称す）を取得し、このピーク値Ｉｐに応じた検出電圧ＶＩｐを生成し、誤差増幅器２３に出力する。なお、電流検出部２４ｒとピーク電流検出部２５ｒとが本願発明の第１の検出部に相当し、電流検出部２４ｇとピーク電流検出部２５ｇとが本願発明の第２の検出部に相当する。
【００３４】
ここで、点灯制御部２ｒ（第１の点灯制御部）に設けられた誤差増幅器２３ｒの入力端子には、ピーク電流検出部２５ｒと出力制御部４とが接続されており、ピーク電流検出部２５ｒから出力される検出電圧ＶＩｐｒと、出力制御部４から出力される基準電圧Ｖｒｅｆ（第１の基準値）とが印加される。なお、この基準電圧Ｖｒｅｆは、電流Ｉｒのピーク値Ｉｐｒの目標値に相当する。そして、誤差増幅器２３ｒは、検出電圧ＶＩｐｒと基準電圧Ｖｒｅｆとの差分を制御回路２２ｒに出力する。
【００３５】
また、点灯制御部２ｂに設けられた誤差増幅器２３ｂの入力端子には、ピーク電流検出部２５ｂと出力制御部４とが接続されており、誤差増幅器２３ｒは、検出電圧ＶＩｐｂと基準電圧Ｖｒｅｆとの差分を制御回路２２ｂに出力する。
【００３６】
制御回路２２ｒ（第１の制御回路）は、上述したようにマイコン３１からの指示に基づいて電流Ｉｒのオン期間Ｔｏｎ１ｒを制御すると共に、誤差増幅器２３ｒの出力に基づいて駆動回路２１ｒ（第１の駆動回路）を制御することで電流Ｉｒのピーク値Ｉｐｒのフィードバック制御を行う。同様に、制御回路２２ｂも、電流Ｉｂのオン期間Ｔｏｎ１ｂを制御すると共に、誤差増幅器２３ｂの出力に基づいて電流Ｉｂのピーク値Ｉｐｂのフィードバック制御を行う。
【００３７】
また、マイコン３１の指示通りに各電流Ｉのオン期間Ｔｏｎ１を制御したとしても、各電流Ｉｒ，Ｉｇのピーク値Ｉｐｒ，Ｉｐｇに相対バラツキが発生した場合、各固体発光素子群Ｌによる混色光の色度の偏差ｄｕｖが大きくなる。それによって、各固体発光素子群Ｌによる混色光の色度と所望の色度との違いが大きく感じられる。
【００３８】
しかし、本実施形態では、点灯制御部２ｇ（第２の点灯制御部）に設けられた誤差増幅器２３ｇの入力端子には、ピーク電流検出部２５ｇとピーク電流検出部２５ｒとが接続されている。そして、誤差増幅器２３ｇは、ピーク電流検出部２５ｇから出力される検出電圧ＶＩｐｇと、ピーク電流検出部２５ｒから出力される検出電圧ＶＩｐｒとが印加される。すなわち、検出電圧ＶＩｐｒが電流Ｉｇのピーク値Ｉｐｇの基準値（目標値）となる。そして、誤差増幅器２３ｇは、検出電圧ＶＩｐｇと検出電圧ＶＩｐｒとの差分を制御回路２２ｇに出力する。なお、電流検出部２４ｇとピーク電流検出部２５ｇとが本願発明の第２の検出部に相当し、検出電圧ＶＩｐｒが本願発明の第２の基準値に相当する。
【００３９】
制御回路２２ｇ（第２の制御回路）は、上述したようにマイコン３１からの指示に基づいて電流Ｉｇのオン期間Ｔｏｎ１ｇを制御すると共に、誤差増幅器２３ｇの出力に基づいて駆動回路２１ｇ（第２の駆動回路）をフィードバック制御する。すなわち、制御回路２２ｇは、電流Ｉｇのピーク値Ｉｐｇが、電流Ｉｒのピーク値Ｉｐｒに一致するようにフィードバック制御を行う。
【００４０】
このように、本実施形態では、黒体軌跡ＢＬを挟んだ色座標Ｐｒ，Ｐｇの光を照射する固体発光素子群Ｌｒ，Ｌｇのうち、一方（固体発光素子群Ｌｒ）の出力を基準として、他方（固体発光素子群Ｌｇ）の出力のフィードバック制御を行う。例えば、電流Ｉｒのピーク値Ｉｐｒが増加方向に変動した場合、電流Ｉｇのピーク値Ｉｐｇも増加方向に変動する。すなわち、目標出力比に対する固体発光素子群Ｌｒ，Ｌｇの出力比のバラツキが低減される。それによって、各固体発光素子群Ｌによる混色光の色度の偏差ｄｕｖが低減し、色再現性が向上する。
【００４１】
なお、本実施形態では点灯制御部２ｒの出力を基準としているが、点灯制御部２ｇの出力を基準としてもよい。
【００４２】
また、本実施形態では、出力制御部４が出力する基準電圧Ｖｒｅｆを変動すれば、各電流Ｉのピーク値Ｉｐが変動する。すなわち、基準電圧Ｖｒｅｆを変動させるのみで、各固体発光素子群Ｌによる混色光の色温度を維持した状態で、出力を変動させることができるので、混色光の出力調整が容易となる。
【００４３】
また、本実施形態では、赤色を照射する固体発光素子群Ｌｒ，緑色を照射する固体発光素子群Ｌｇ，青色を照射する固体発光素子群Ｌｂによる混色光を照射するように構成しているが、他の色を照射する固体発光素子群Ｌを用いてもよい。例えば、青色の代わりに高色温度の白色を照射する固体発光素子群Ｌを用いてもよい。また、三色の固体発光素子群Ｌによる混色光に限定するものではなく、異なる色数による混色光を照射するように構成してもよい。
【００４４】
（実施形態２）
本実施形態の発光装置１のブロック構成図を図３に示す。なお、実施形態１と同様の構成には、同一符号を付して説明は省略する。
【００４５】
本実施形態の発光装置１は、点灯制御部２ｒ，２ｇ，２ｂが固体発光素子群Ｌｒ，Ｌｇ，Ｌｂに直流電流（定常電流）を供給し、その振幅を制御することで固体発光素子群Ｌｒ，Ｌｇ，Ｌｂの出力を制御する振幅調光を行う。そして、点灯制御部２ｒ，２ｇ，２ｂは、固体発光素子群Ｌｒ，Ｌｇ，Ｌｂの出力比が目標出力比となるように制御する。
【００４６】
本実施形態の色比率設定部３は、マイコン３１と、基準電圧生成部３２ｒ，３２ｇ，３２ｂとで構成されている。
【００４７】
基準電圧生成部３２ｒ，３２ｂは、出力制御部４から出力される制御電圧Ｖ１を電源としており、マイコン３１から出力される制御信号Ｓ１ｒ，Ｓ１ｂに基づいて基準電圧ＶｒｅｆＲ，ＶｒｅｆＢを生成する。図４（ａ）（ｃ）に示すように、制御信号Ｓ１ｒ，Ｓ１ｂはＰＷＭ信号で構成されており、マイコン３１は、固体発光素子群Ｌｒ，Ｌｂの目標出力に基づいて制御信号Ｓ１ｒ，Ｓ１ｂのオン期間Ｔｏｎ２ｒ，Ｔｏｎ２ｂを決定している。したがって、生成される基準電圧ＶｒｅｆＲ，ＶｒｅｆＢは、ＶｒｅｆＲ＝Ｖ１×Ｔｏｎ２ｒ／Ｔ２、ＶｒｅｆＢ＝Ｖ１×Ｔｏｎ２ｂ／Ｔ２となる。
【００４８】
そして、基準電圧生成部３２ｒ，３２ｂは、生成した基準電圧ＶｒｅｆＲ，ＶｒｅｆＢを誤差増幅器２３ｒ，２３ｂに出力する。この基準電圧ＶｒｅｆＲ，ＶｒｅｆＢが固体発光素子群Ｌｒ，Ｌｂに供給される電流Ｉｒ，Ｉｂの振幅の目標値に相当し、基準電圧ＶｒｅｆＲが本願発明の第１の基準値に相当する。
【００４９】
また、各電流検出部２４は、固体発光素子群Ｌに供給される電流Ｉの振幅を検出しており、電流Ｉの振幅に応じた検出電圧ＶＩ１を誤差増幅器２３に出力している。なお、本実施形態では、電流検出部２４ｒが第１の検出部に相当し、電流検出部２４ｇが第２の検出部に相当する。
【００５０】
したがって、誤差増幅器２３ｒの入力端子には、基準電圧生成部３２ｒと電流検出部２４ｒとが接続されており、誤差増幅器２３ｒは、基準電圧ＶｒｅｆＲと検出電圧ＶＩ１ｒとの差分を制御回路２２ｒに出力する。同様に、誤差増幅器２３ｂの入力端子には、基準電圧生成部３２ｂと電流検出部２４ｂとが接続されており、誤差増幅器２３ｂは、基準電圧ＶｒｅｆＢと検出電圧ＶＩ１ｂとの差分を制御回路２２ｂに出力する。
【００５１】
制御回路２２ｒ，２２ｂは、誤差増幅器２３ｒ，２３ｂの出力に基づき、検出電圧ＶＩ１ｒ，ＶＩ１ｂが基準電圧ＶｒｅｆＲ，ＶｒｅｆＢに一致するように電流Ｉｒ，Ｉｂの振幅のフィードバック制御を行う。
【００５２】
また、本実施形態では、電流検出部２４ｒの出力端子は、増幅器３３を介して基準電圧生成部３２ｇに接続されている。増幅器３３は、電流検出部２４ｒが出力する検出電圧ＶＩｒをＫ倍に増幅した検出電圧ＶＩ２ｒを生成して基準電圧生成部３２ｇに出力する。
【００５３】
基準電圧生成部３２ｇは、抵抗Ｒ１ｇ，Ｒ２ｇと、スイッチング素子Ｑ１ｇと、コンデンサＣ１ｇとで構成されている。抵抗Ｒ１ｇ，Ｒ２ｇとスイッチング素子Ｑ１ｇとが直列接続され、抵抗Ｒ２ｇとスイッチング素子Ｑ１ｇとからなる直列回路と並列にコンデンサＣ１ｇが接続されている。抵抗Ｒ１ｇの降圧側が増幅器３３の出力端子に接続されており、検出電圧ＶＩ２ｒが印加される。また、スイッチング素子Ｑ１ｇは、ｎチャネルＭＯＳＦＥＴで構成され、抵抗Ｒ２ｇとグランドとの間に介挿されている。スイッチング素子Ｑ１ｇのゲートは、マイコン３１に接続されており、制御信号Ｓ２ｇに基づいてオン・オフすることで、抵抗Ｒ２ｇとグランドとの間を導通・遮断する。それによって、コンデンサＣ１ｇの両端間に、制御信号Ｓ３ｇのオン期間Ｔｏｎ３ｇに応じて検出電圧ＶＩ２ｒを平滑（分圧）した基準電圧ＶｒｅｆＧが生成される。
【００５４】
マイコン３１からスイッチング素子Ｑ１ｇに出力される制御信号Ｓ２ｇは、図４（ｂ）に示すようにＰＷＭ信号で構成されている。制御信号Ｓ２ｇの期間Ｔ３におけるオン期間Ｔｏｎ３ｇは、目標出力比に基づいて決定される。具体的には、固体発光素子群Ｌｒに対する固体発光素子群Ｌｇの目標出力比が、期間Ｔ３に対するオン期間Ｔｏｎ３ｇとなるように、オン期間Ｔｏｎ３ｇを決定している。したがって、基準電圧生成部３２ｇで生成される基準電圧ＶｒｅｆＧは、ＶｒｅｆＧ＝ＶＩ２ｒ×Ｔｏｎ３ｇ／Ｔ３となる。この基準電圧ＶｒｅｆＧが本願発明の第２の基準値に相当し、固体発光素子群Ｌｇに供給される電流Ｉｇの振幅の目標値となる。なお、本実施形態では図４（ａ）〜（ｃ）に示すように、制御信号Ｓ１ｒ，Ｓ１ｂの期間Ｔ２と、制御信号Ｓ２ｇの期間Ｔ３とを同じ期間にしている。
【００５５】
そして、誤差増幅器２３ｇは、基準電圧ＶｒｅｆＧと検出電圧ＶＩ１ｇとの差分を制御回路２２ｇに出力する。制御回路２２ｇは、誤差増幅器２３ｇの出力に基づき、検出電圧ＶＩ１ｇが基準電圧ＶｒｅｆＧに一致するように電流Ｉｇの振幅のフィードバック制御を行う。
【００５６】
図５（ａ）〜（ｃ）に示すように、従来では、制御信号Ｓ１ｒ，Ｓ１ｇ，Ｓ１ｂを用いて制御電圧Ｖ１を平滑（分圧）することで生成した基準電圧ＶｒｅｆＲ，ＶｒｅｆＧ，ＶｒｅｆＢの比が目標出力比となるように制御していた。しかし、誤差増幅器２３のオフセットバラツキや駆動回路２１の部品バラツキにより、電流Ｉの振幅が目標値に対してバラツキが発生する。したがって、各固体発光素子群Ｌの混色光の色再現性を高めるためには、固体発光素子Ｌ毎に出力調整が必要となるため困難であった。
【００５７】
しかし、本実施形態では、点灯制御部２ｒの出力を基準にして、点灯制御部２ｇの基準電圧ＶｒｅｆＧを生成し、電流Ｉｇのフィードバック制御を行っている。したがって、点灯制御部２ｒが出力する電流Ｉｒの振幅が目標値（基準電圧ＶｒｅｆＲ）に対して変動した場合であっても、この変動を考慮した基準電圧ＶｒｅｆＧが生成される。それによって、電流Ｉｇの振幅が、電流Ｉｒと同一方向に変動するので、目標出力比に対する固体発光素子群Ｌｒ，Ｌｇの出力比のバラツキが低減される。それによって、各固体発光素子群Ｌによる混色光の偏差ｄｕｖが低減し、色再現性が向上する。
【００５８】
また、本実施形態では増幅器３３を用いて、検出電圧ＶＩ１ｒを増幅した検出電圧ＶＩ２ｒを生成し、この検出電圧ＶＩ２ｒを平滑することで基準電圧ＶｒｅｆＧを生成している。したがって、図４（ｂ）の破線に示すように、Ｔｏｎ３ｇを大きくし、基準電圧ＶｒｅｆＧを検出電圧ＶＩ１ｒより大きくすることができ、固体発光素子群Ｌｇの出力を固体発光素子群Ｌｒよりも大きくすることができる。なお、固体発光素子群Ｌｒの目標出力が固体発光素子群Ｌｇの目標出力より常に大きい場合は、増幅器３３を省略し、検出電圧ＶＩ１ｒを平滑して基準電圧ＶｒｅｆＧを生成するように構成してもよい。
【００５９】
また、固体発光素子群Ｌｒの目標出力が固体発光素子群Ｌｇの目標出力より常に大きい場合は、誤差増幅器２３を図６に示すように構成してもよい。
【００６０】
誤差増幅器２３ｒは、オペアンプ２３１ｒとコンデンサＣ２ｒと抵抗Ｒ３ｒとで構成されている。オペアンプ２３１ｒは、非反転入力端子に基準電圧ＶｒｅｆＲが印加され、反転入力端子に抵抗Ｒ３ｒを介して検出電圧ＶＩ１ｒが印加され、反転入力端子と出力端子との間にコンデンサＣ２が介挿されている。そして、制御回路２２ｒは、オペアンプ２３１ｒの出力に基づき、検出電圧ＶＩ１ｒと基準電圧ＶｒｅｆＲとが一致するように、電流Ｉｒの振幅のフィードバック制御を行う。なお、誤差増幅器２３ｂは、誤差増幅器２３ｒと同一構成であるので、説明は省略する。
【００６１】
また、誤差増幅器２３ｇは、オペアンプ２３１ｇとコンデンサＣ２ｇと抵抗Ｒ３ｇ，Ｒ４ｇとで構成されている。オペアンプ２３１ｇは、非反転入力端子に検出電圧ＶＩ１ｒが印加され、反転入力端子には、抵抗Ｒ３ｇを介して印加される検出電圧ＶＩ１ｇと、抵抗Ｒ４ｇを介して印加される基準電圧ＶｒｅｆＧ２とを加算した電圧が印加される。
【００６２】
基準電圧生成部３２ｇは、基準電圧ＶｒｅｆＲを電源としており、マイコン３１から出力される制御信号Ｓ３ｇに基づいて基準電圧ＶｒｅｆＲを平滑した基準電圧ＶｒｅｆＧ２を生成する。
【００６３】
制御信号Ｓ３ｇはＰＷＭ信号で構成されており、目標出力比に基づいてオンデューティが決定される。具体的には、制御信号Ｓ３ｇのオンデューティは、固体発光素子群Ｌｒの目標出力に対する固体発光素子群Ｌｒと固体発光素子群Ｌｇとの目標出力差となるように決定される。固体発光素子群Ｌｒ，Ｌｇの目標出力をＶｒｅｆＲ，ＶｒｅｆＧとした場合、「固体発光素子群Ｌｒの目標出力に対する固体発光素子群Ｌｒと固体発光素子群Ｌｇとの目標出力差」は、（１−ＶｒｅｆＧ／ＶｒｅｆＲ）に相当する。したがって、基準電圧生成部３２ｇで生成される基準電圧ＶｒｅｆＧ２は、ＶｒｅｆＧ２＝ＶｒｅｆＲ×（１−ＶｒｅｆＧ／ＶｒｅｆＲ）となる。
【００６４】
そして、制御回路２２ｇは、検出電圧ＶＩ１ｒと、検出電圧ＶＩ１ｇ＋基準電圧ＶｒｅｆＧ２とが一致するようにフィードバック制御を行う。すなわち、点灯制御部２ｒの出力（検出電圧ＶＩ１ｒ）から目標出力差である基準電圧ＶｒｅｆＧ２を減算した値が基準値となり、電流Ｉｇの振幅のフィードバック制御を行う。
【００６５】
このように、電流Ｉｒの振幅を基準にして電流Ｉｇの振幅のフィードバック制御を行うので、上記同様の効果があり、目標出力比に対する固体発光素子群Ｌｒ，Ｌｇの出力比のバラツキが低減される。それによって、各固体発光素子群Ｌによる混色光の偏差ｄｕｖが低減し、色再現性が向上する。
【００６６】
（実施形態３）
本実施形態の発光装置１のブロック構成図を図７に示す。なお、実施形態２と同様の構成には、同一符号を付して説明は省略する。
【００６７】
本実施形態の発光装置１は、点灯制御部２ｒ，２ｇ，２ｂが固体発光素子群Ｌｒ，Ｌｇ，Ｌｂに直流電流を供給し、その振幅を制御することで固体発光素子群Ｌｒ，Ｌｇ，Ｌｂの出力を制御する振幅調光を行う。そして、点灯制御部２ｒ，２ｇ，２ｂは、固体発光素子群Ｌｒ，Ｌｇ，Ｌｂの出力比が目標出力比となるように制御する。
【００６８】
本実施形態の発光装置１は、点灯制御部２ｒ，２ｇ，２ｂと、色比率設定部３と、出力制御部４と、誤差算出部５と、加算器６とで構成されている。
【００６９】
基準電圧生成部３２ｒ，３２ｇは、出力制御部４から出力される制御電圧Ｖ１を電源としており、マイコン３１から出力される制御信号Ｓ４ｒ，Ｓ４ｇに基づいて基準電圧ＶｒｅｆＲ，ＶｒｅｆＧを生成する。
【００７０】
図８（ａ）（ｂ）に示すように、制御信号Ｓ４ｒ，Ｓ４ｇはＰＷＭ信号で構成されており、マイコン３１は、目標出力比に基づいて制御信号Ｓ４ｒ，Ｓ４ｇのオン期間Ｔｏｎ４ｒ，Ｔｏｎ４ｇを決定している。具体的には、マイコン３１は、期間Ｔ４に対するオン期間Ｔｏｎ４ｒ，Ｔｏｎ４ｇの比が、固体発光素子群Ｌｒ，Ｌｇの合計出力に対する固体発光素子群Ｌｒ，Ｌｇの出力比となるようにオン期間Ｔｏｎ４ｒ，Ｔｏｎ４ｇを決定している。すなわち、期間Ｔ４が固体発光素子群Ｌｒ，Ｌｇの合計出力に相当し、マイコン３１は、目標出力比に基づき、Ｔｏｎ４ｒ＋Ｔｏｎ４ｇ＝Ｔ４となるように、オン期間Ｔｏｎ４ｒ，Ｔｏｎ４ｇを決定している。
【００７１】
そして、基準電圧生成部３２ｒ，３２ｇは、制御信号Ｓ４ｒ，Ｓ４ｇに基づいて出力制御部４から出力される制御電圧Ｖ１を平滑（分圧）した基準電圧ＶｒｅｆＲ，ＶｒｅｆＧを生成する。すなわち、制御電圧Ｖ１が固体発光素子群Ｌｒ，Ｌｇの合計出力に相当し、この制御電圧Ｖ１を目標出力比に基づいて、基準電圧ＶｒｅｆＲ，ＶｒｅｆＧに分割している。したがって、この基準電圧ＶｒｅｆＲ，ＶｒｅｆＧは、ＶｒｅｆＲ＝Ｖ１×Ｔｏｎ４ｒ／Ｔ４，ＶｒｅｆＧ＝Ｖ１×Ｔｏｎ４ｂ／Ｔ４となる。
【００７２】
また、基準電圧生成部３２ｂは、マイコン３１の指示に基づき、基準電圧ＶｒｅｆＲ，ＶｒｅｆＧ，ＶｒｅｆＢの比が、固体発光素子群Ｌｒ，Ｌｇ，Ｌｂの目標出力比と一致するように、基準電圧ＶｒｅｆＢを生成して誤差増幅器２３ｂに出力している。
【００７３】
そして、誤差増幅器２３ｒは、検出電圧ＶＩ１ｒと基準電圧ＶｒｅｆＲとの差分を制御回路２２ｒに出力する。制御回路２２ｒは、検出電圧ＶＩｒが基準電圧ＶｒｅｆＲに一致するように電流Ｉｒの振幅のフィードバック制御を行う。同様に、誤差増幅器２３ｂは、検出電圧ＶＩ１ｂと基準電圧ＶｒｅｆＢとの差分を制御回路２２ｂに出力する。制御回路２２ｂは、検出電圧ＶＩｂが基準電圧ＶｒｅｆＢに一致するように電流Ｉｂの振幅のフィードバック制御を行う。
【００７４】
誤差増幅器２３ｒのオフセットバラツキや駆動回路２１の部品バラツキによって、検出電圧ＶＩｒと基準電圧ＶｒｅｆＲとに誤差が発生する場合がある。そこで、本実施形態では、この誤差を検出し、目標出力比に基づいて基準電圧ＶｒｅｆＧの補正を行う。
【００７５】
誤差算出部５は、減算器５１と増幅器５２と平滑部５３とで構成されている。
【００７６】
減算器５１は、電流検出部２４ｒおよび基準電圧生成部３２ｒが入力端子に接続されており、検出電圧ＶＩ１ｒから基準電圧ＶｒｅｆＲを減算した値を増幅器５２に出力する。増幅器５２は、減算器５１の出力を（Ｔ４／Ｔｏｎ４ｒ）倍に増幅した誤差電圧ＶＩＤを生成して平滑部５３に出力する。なお、この誤差電圧ＶＩＤが、電流Ｉｒ，Ｉｇの合計電流に対する誤差に相当する。
【００７７】
平滑部５３は、フォロア５３１と、抵抗Ｒ５，Ｒ６と、コンデンサＣ３と、スイッチング素子Ｑ２とで構成されている。フォロア５３１ｇと抵抗Ｒ５，Ｒ６とスイッチング素子Ｑ２とが直列接続され、抵抗Ｒ６とスイッチング素子Ｑ２とからなる直列回路と並列にコンデンサＣ３が接続されている。スイッチング素子Ｑ２は、ｎチャネルＭＯＳＦＥＴで構成され、抵抗Ｒ６とグランドとの間に介挿されている。スイッチング素子Ｑ２のゲートは、マイコン３１に接続されており、制御信号Ｓ４ｇに基づいてオン・オフすることで、抵抗Ｒ２とグランドとの間を導通・遮断し、コンデンサＣ３の両端に生成される誤差電圧ＶＩＤｇを変動させる。なお、スイッチング素子Ｑ２に出力される制御信号Ｓ４ｇは、基準電圧生成部３２ｇに出力される制御信号Ｓ４ｇと同一である。すなわち、誤差電圧ＶＩＤｇは、誤差電圧ＶＩＤを目標出力比に基づいて分配したものであり、ＶＩＤｇ＝ＶＩＤ×Ｔｏｎ４ｇ／Ｔ４となる。
【００７８】
加算器６は、基準電圧生成部３２ｇおよび平滑部５３が入力端子に接続されており、基準電圧ＶｒｅｆＧと誤差電圧ＶＩＤｇとを加算することで基準電圧ＶｒｅｆＧ３を生成し、誤差増幅器２３ｇに出力する。そして、制御回路２２ｇは、誤差増幅器２３ｇの出力に基づいて、検出電圧ＶＩ１ｇと基準電圧ＶｒｅｆＧ３とが一致するように、電流Ｉｇの振幅のフィードバック制御を行う。なお、本実施形態では、基準電圧ＶｒｅｆＧが本願発明の第３の基準値に相当し、基準電圧ＶｒｅｆＧ３が本願発明の第２の基準値に相当する。
【００７９】
このように、本実施形態では、検出電圧ＶＩ１ｒと基準電圧ＶｒｅｆＲとの誤差を検出し、この誤差を基準にして基準電圧ＶｒｅｆＧを補正することで、基準電圧ＶｒｅｆＧ３を生成している。そして、基準電圧ＶｒｅｆＧ３を基準にしてフィードバック制御を行っている。すなわち、点灯制御部２ｒの出力誤差を反映した基準電圧ＶｒｅｆＧ３を基準値として電流Ｉｇの振幅のフィードバック制御を行う。それによって、電流Ｉｒの振幅の誤差方向と同一方向に電流Ｉｂの振幅が変動するので、目標出力比に対する固体発光素子群Ｌｒ，Ｌｇの出力比のバラツキが低減される。それによって、各固体発光素子群Ｌによる混色光の偏差ｄｕｖが低減し、色再現性が向上する。
【００８０】
（実施形態４）
本発明の実施形態４の発光装置１のブロック構成図を図９に示す。なお、実施形態１と同様の構成には、同一符号を付して説明は省略する。
【００８１】
本実施形態の発光装置１は、固体発光素子群Ｌｒ，Ｌｇ，Ｌｂの点灯制御を行う点灯制御部２ｒ，２ｇ，２ｂと、固体発光素子群Ｌｒ，Ｌｇ，Ｌｂの目標出力比を設定する色比率設定部３と、出力制御部４と、加算部７と、分割部８とで構成されている。そして、本実施形態の発光装置１は、点灯制御部２ｒ，２ｇ，２ｂが固体発光素子群Ｌｒ，Ｌｇ，Ｌｂに間欠電流を供給し、そのオン期間を制御することで固体発光素子群Ｌｒ，Ｌｇ，Ｌｂの出力を制御するバースト調光を行う。そして、点灯制御部２ｒ，２ｇ，２ｂは、固体発光素子群Ｌｒ，Ｌｇ，Ｌｂの出力比が目標出力比となるように制御する。
【００８２】
本実施形態の色比率設定部３は、マイコン３１で構成されており、マイコン３１には各固体発光素子群Ｌの目標出力比が設定されている。そして、マイコン３１は、この目標出力比に基づいて各点灯制御部２が固体発光素子群Ｌに供給する電流Ｉのオン期間を決定し各点灯制御部２に指示する。そして、各点灯制御部２は、電流Ｉのオン期間がマイコン３１によって指示された値となるように制御した電流Ｉを固体発光素子群Ｌに供給する。なお、本実施形態では、点灯制御部２ｒが本願発明の第１の点灯制御部に相当し、点灯制御部２ｇが本願発明の第２の点灯制御部に相当する。
【００８３】
次に、点灯制御部２の具体的な構成および制御について説明する。点灯制御部２は、駆動回路２１と、制御回路２２と、誤差増幅器２３と、電流検出部２４と、ピーク電流検出部２５とで構成されている。
【００８４】
駆動回路２１は、固体発光素子群Ｌに電流Ｉを供給することで、固体発光素子群Ｌを点灯させる。なお、本実施形態では、駆動回路２１ｒが本願発明の第１の駆動回路に相当し、駆動回路２１ｇが本願発明の第２の駆動回路に相当する。
【００８５】
制御回路２２は、駆動回路２１を制御することで電流Ｉを制御する。図２（ａ）〜（ｃ）に示すように、電流Ｉｒ，Ｉｇ，Ｉｂはオン期間とオフ期間とを繰り返す間欠電流で構成されている。制御回路２２ｒ，２２ｇ，２２ｂは、マイコン３１からの指示に基づいて、期間Ｔ１におけるオン期間Ｔｏｎ１ｒ，Ｔｏｎ１ｇ，Ｔｏｎ１ｂを制御する。なお、本実施形態では、制御回路２２ｒが本願発明の第１の制御回路に相当し、制御回路２２ｇが本願発明の第２の制御回路に相当する。
【００８６】
電流検出部２４は、駆動回路２１から固体発光素子群Ｌに供給される電流Ｉを検出し、検出結果をピーク電流検出部２５に出力する。
【００８７】
ピーク電流検出部２５は、電流検出部２４の検出結果からオン期間Ｔｏｎ１における電流Ｉの振幅値（以降、ピーク値Ｉｐと称す）を取得し、このピーク値Ｉｐに応じた検出電圧ＶＩｐを生成して加算部７に出力する。なお、本実施形態では、電流検出部２４ｒとピーク電流検出部２５ｒとが本願発明の第１の検出部に相当し、電流検出部２４ｇとピーク電流検出部２５ｇとが本願発明の第２の検出部に相当する。
【００８８】
加算部７は、ピーク電流検出部２５ｒ，２５ｇから出力される検出電圧ＶＩｐｒ，ＶＩｐｇを加算した合計検出電圧ＶＩｐｔ（＝ＶＩｐｒ＋ＶＩｐｇ）を生成して分割部８に出力する。
【００８９】
本実施形態の分割部８は、分圧器８１で構成されており、加算部７から出力される合計検出電圧ＶＩｐｔを２等分する。すなわち、分圧器８１は、検出電圧ＶＩｐｒ，ＶＩｐｇの平均値である平均検出電圧ＶＩｐａ（-＝（ＶＩｐｒ＋ＶＩｐｇ）／２）を生成する。そして、分圧器８１は、生成した平均検出電圧ＶＩｐａを、誤差増幅器２３ｒ，２３ｇに出力する。なお、平均検出電圧ＶＩｐａが、本願発明の分割検出結果に相当する。
【００９０】
誤差増幅器２３ｒ，２３ｇの入力端子は、分圧器８１と出力制御部４とが接続されており、分圧器８１から出力される平均検出電圧ＶＩｐａと、出力制御部４から出力される基準電圧Ｖｒｅｆとの差分を制御回路２２ｒ，２２ｇに出力する。また、誤差増幅器２３ｂの入力端子は、ピーク電流検出部２５ｂと出力制御部４とが接続されており、検出電圧ＶＩｐｂと基準電圧Ｖｒｅｆとの差分を制御回路２２ｂに出力する。
【００９１】
各制御回路２２は、上述したようにマイコン３１からの指示に基づいて電流Ｉのオン期間Ｔｏｎ１を制御すると共に、誤差増幅器２３の出力に基づいて電流Ｉのピーク値Ｉｐのフィードバック制御を行う。
【００９２】
マイコン３１の指示通りに各電流Ｉのオン期間Ｔｏｎ１を制御したとしても、電流Ｉｒ，Ｉｇのピーク値Ｉｐｒ，Ｉｐｇに相対バラツキが発生した場合、固体発光素子群Ｌｒ，Ｌｇの出力比が目標出力比に対してずれてしまう。それによって、各固体発光素子群Ｌによる混色光の偏差ｄｕｖが大きくなってしまう。
【００９３】
しかし、本実施形態では、電流Ｉｒ，Ｉｇのピーク値Ｉｐｒ，Ｉｐｇの平均値（平均検出電圧ＶＩｐａ）を検出結果として、点灯制御部２ｒ，２ｇが電流Ｉｒ，Ｉｇのピーク値Ｉｐｒ，Ｉｐｇのフィードバック制御を行う。すなわち、電流Ｉｒ，Ｉｇのピーク値Ｉｐｒ，Ｉｐｇの平均値が基準電圧Ｖｒｅｆとなるように制御されるので、電流Ｉｒ，Ｉｇのピーク値Ｉｐｒ，Ｉｐｇの相対バラツキが低減する。それによって、各固体発光素子群Ｌによる混色光の偏差ｄｕｖが低減し、色再現性が向上する。
【００９４】
さらに、平均検出電圧ＶＩｐａを検出結果として、電流Ｉｒ，Ｉｂのピーク値Ｉｐｒ，Ｉｐｂのフィードバック制御を行うことで、基準電圧Ｖｒｅｆに対する電流Ｉｒ，Ｉｂのピーク値Ｉｐｒ，Ｉｐｂのバラツキが均一化される。
【００９５】
また、本実施形態では、出力制御部４が出力する基準電圧Ｖｒｅｆを変動すれば、フィードバック制御によって各電流Ｉのピーク値Ｉｐが変動する。すなわち、基準電圧Ｖｒｅｆを変動させるのみで、各固体発光素子群Ｌによる混色光の色度を維持した状態で、出力を変動させることができるので、混色光の出力調整が容易となる。
【００９６】
なお、本実施形態では、点灯制御部２ｒ，２ｇに誤差増幅器２３ｒ，２３ｇを設けているが、誤差増幅器２３を１つにし、平均検出電圧ＶＩｐａと基準電圧Ｖｒｅｆと差分制御回路２２ｒ，２２ｇに出力するように構成してもよい。それによって、誤差増幅器２３の数を減らすことができ、構成を簡略化することができる。
【００９７】
（実施形態５）
本実施形態の発光装置１のブロック構成図を図１０に示す。なお、実施形態４と同様の構成には、同一符号を付して説明は省略する。
【００９８】
本実施形態の発光装置１は、点灯制御部２ｒ，２ｇ，２ｂが固体発光素子群Ｌｒ，Ｌｇ，Ｌｂに直流電流（定常電流）を供給し、その振幅を制御することで固体発光素子群Ｌｒ，Ｌｇ，Ｌｂの出力を制御する振幅調光を行う。そして、点灯制御部２ｒ，２ｇ，２ｂは、固体発光素子群Ｌｒ，Ｌｇ，Ｌｂの出力比が目標出力比となるように制御する。
【００９９】
本実施形態の色比率設定部３は、マイコン３１と、基準電圧生成部３２ｒ，３２ｇ，３２ｂとで構成されている。
【０１００】
基準電圧生成部３２ｒ，３２ｇは、出力制御部４から出力される制御電圧Ｖ１を電源としており、マイコン３１から出力される制御信号Ｓ１ｒ，Ｓ１ｇに基づいて基準電圧ＶｒｅｆＲ，ＶｒｅｆＧを生成する。
【０１０１】
図８（ａ）（ｂ）に示すように、制御信号Ｓ４ｒ，Ｓ４ｇはＰＷＭ信号で構成されており、マイコン３１は、目標出力比に基づいて制御信号Ｓ４ｒ，Ｓ４ｇのオン期間Ｔｏｎ４ｒ，Ｔｏｎ４ｇを決定している。具体的には、マイコン３１は、期間Ｔ４が各固体発光素子群Ｌの合計出力に相当し、オン期間Ｔｏｎ４ｒ，Ｔｏｎ４ｇの比が、固体発光素子群Ｌｒ，Ｌｇの目標出力比となるようにオン期間Ｔｏｎ４ｒ，Ｔｏｎ４ｇを決定している。したがって、Ｔｏｎ４ｒ＋Ｔｏｎ４ｇ＝Ｔ４となる。
【０１０２】
そして、基準電圧生成部３２ｒ，３２ｇは、制御信号Ｓ４を用いて制御電圧Ｖ１を平滑（分圧）した基準電圧ＶｒｅｆＲ，ＶｒｅｆＢを生成する。この基準電圧ＶｒｅｆＲ，ＶｒｅｆＧは、ＶｒｅｆＲ＝Ｖ１×Ｔｏｎ４ｒ／Ｔ４，ＶｒｅｆＧ＝Ｖ１×Ｔｏｎ４ｇ／Ｔ４となる。
【０１０３】
そして、基準電圧生成部３２ｒ，３２ｇは、生成した基準電圧ＶｒｅｆＲ，ＶｒｅｆＧを誤差増幅器２３ｒ，２３ｇに出力する。すなわち、制御電圧Ｖ１が固体発光素子群Ｌｒ，Ｌｇの合計出力に相当し、この制御電圧Ｖ１を固体発光素子群Ｌｒ，Ｌｇの目標出力比で分割することで基準電圧ＶｒｅｆＲ，ＶｒｅｆＧを生成している。したがって、基準電圧ＶｒｅｆＲ，ＶｒｅｆＧの比が、固体発光素子群Ｌｒ，Ｌｇの目標出力比に一致する。
【０１０４】
また、基準電圧生成部３２ｂは、マイコン３１の指示に基づき、基準電圧ＶｒｅｆＲ，ＶｒｅｆＧ，ＶｒｅｆＢの比が、固体発光素子群Ｌｒ，Ｌｇ，Ｌｂの目標出力比と一致するように、基準電圧ＶｒｅｆＢを生成して誤差増幅器２３ｂに出力している。
【０１０５】
なお、この基準電圧ＶｒｅｆＲ，ＶｒｅｆＧ，ＶｒｅｆＢが、固体発光素子群Ｌｒ，Ｌｇ，Ｌｂに供給される電流Ｉｒ，Ｉｇ，Ｉｂの振幅の目標値となる。
【０１０６】
また、本実施形態の分割部８は、平滑部８２ｒ，８２ｇで構成されており、各々が加算部７の出力端子に接続されている。加算部７の入力端子は、電流検出部２４ｒ，２４ｇが接続されており、電流検出部２４ｒ，２４ｇが検出した検出電圧ＶＩ１ｒ，ＶＩ１ｇが入力される。この検出電圧ＶＩ１ｒ，ＶＩ１ｇは、電流Ｉｒ，Ｉｇの振幅値に相当する。なお、本実施形態では、電流検出部２４ｒが本願発明の第１の検出部に相当し、電流検出部２４ｇが本願発明の第２の検出部に相当する。そして、加算部７は、検出電圧ＶＩ１ｒ，ＶＩ１ｇを加算した合計検出電圧ＶＩｔを生成して、平滑部８２ｒ，８２ｇに出力する。
【０１０７】
各平滑部８２は、フォロア８２１と抵抗Ｒ７，Ｒ８とコンデンサＣ４とスイッチング素子Ｑ３とで構成されている。フォロア８２１と抵抗Ｒ７，Ｒ８とスイッチング素子Ｑ３とが直列接続され、抵抗Ｒ８とスイッチング素子Ｑ３とからなる直列回路と並列にコンデンサＣ４が接続されている。フォロア８２１の入力端子は、加算部７に接続されており、合計検出電圧ＶＩｔが印加される。また、スイッチング素子Ｑ３は、ｎチャネルＭＯＳＦＥＴで構成され、抵抗Ｒ８とグランドとの間に介挿されている。スイッチング素子Ｑ３のゲートは、マイコン３１に接続されており、制御信号Ｓ４に基づいてオン・オフすることで、抵抗Ｒ８とグランドとの間を導通・遮断する。それによって、コンデンサＣ４の両端間に、制御信号Ｓ４の期間Ｔ４に対するオン期間Ｔｏｎ４に応じて合計検出電圧ＶＩｔを平滑（分圧）した検出電圧ＶＩ２が生成される。すなわち、平滑部８２ｒは検出電圧ＶＩ２ｒ（＝ＶＩｔ×Ｔｏｎ４ｒ／Ｔ４）を生成し、平滑部８２ｇは検出電圧ＶＩ２ｇ（＝ＶＩｔ×Ｔｏｎ４ｇ／Ｔ４）を生成する。
【０１０８】
また、マイコン３１からスイッチング素子Ｑ４に出力される制御信号Ｓ４は、上述したマイコン３１から基準電圧生成部３２に出力される制御信号Ｓ１と同一である。すなわち、平滑部８２ｒ，８２ｇは、制御信号Ｓ４ｒ，Ｓ４ｇを用いて合計検出電圧ＶＩｔを目標出力比で分割することで点灯制御部２ｒ，２ｇ毎に検出電圧ＶＩ２ｒ，ＶＩ２ｇを生成している。したがって、検出電圧ＶＩ２ｒ，ＶＩ２ｇの比は、固体発光素子群Ｌｒ，Ｌｇの目標出力比に一致する。そして、平滑部８２ｒ，８２ｇは、生成した検出電圧ＶＩ２ｒ，ＶＩ２ｇを誤差増幅器２３ｒ，２３ｇに出力する。なお、検出電圧ＶＩ２ｒ，ＶＩ２ｇが本願発明の分割検出結果に相当する。
【０１０９】
誤差増幅器２３ｒ，２３ｇは、基準電圧ＶｒｅｆＲ，ＶｒｅｆＧと、検出電圧ＶＩ２ｒ，ＶＩ２ｇとの差分を制御回路２２ｒ，２２ｇに出力する。また、誤差増幅器２３ｂは、基準電圧ＶｒｅｆＢと検出電圧ＶＩ１ｂとの差分を制御回路２２ｂに出力する。
【０１１０】
制御回路２２ｒ，２２ｇは、検出電圧ＶＩ２ｒ，ＶＩ２ｇが基準電圧ＶｒｅｆＲ，ＶｒｅｆＧと一致するように、電流Ｉｒ，Ｉｇの振幅のフィードバック制御を行う。また、制御回路２２ｂは、検出電圧ＶＩ１ｂが基準電圧ＶｒｅｆＢと一致するように、電流Ｉｂの振幅のフィードバック制御を行う。
【０１１１】
このように、本実施形態では、固体発光素子群Ｌｒ，Ｌｇの出力の合計（合計検出電圧ＶＩｔ）を目標出力比で分割した検出電圧ＶＩ２ｒ，ＶＩ２ｇを検出結果としてフィードバック制御している。合計検出電圧ＶＩｔには、目標値（基準電圧ＶｒｅｆＲ，ＶｒｅｆＧ）に対する検出電圧ＶＩ１ｒ，ＶＩ１ｇの誤差が含まれており、合計検出電圧ＶＩｔを分割することによって誤差も分割される。すなわち、検出電圧ＶＩ２ｒ，ＶＩ２ｇは、目標値（基準電圧ＶｒｅｆＲ，ＶｒｅｆＧ）に対する検出電圧ＶＩ１ｒ，ＶＩ１ｇの誤差を平均化した値が含まれている。そして、この検出電圧ＶＩ２ｒ，ＶＩ２ｇが基準電圧ＶｒｅｆＲ，ＶｒｅｆＧに一致するようにフィードバック制御を行うことで、基準電圧ＶｒｅｆＲ，ＶｒｅｆＧの比に対する検出電圧ＶＩ１ｒ，ＶＩ１ｇの比のバラツキが低減される。それによって、各固体発光素子群Ｌによる混色光の偏差ｄｕｖが低減し、色再現性が向上する。
【０１１２】
さらに、検出電圧ＶＩ２ｒ，ＶＩ２ｇを用いてフィードバック制御することで、基準電圧ＶｒｅｆＲ，ＶｒｅｆＧに対する検出電圧ＶＩ１ｒ，ＶＩ１ｇのバラツキを均一化することができる。
【０１１３】
また、本実施形態では、出力制御部４が出力する制御電圧Ｖ１を変動させるのみで、基準電圧ＶｒｅｆＲ，ＶｒｅｆＧ，ＶｒｅｆＢの値が比率（目標出力比）を維持した状態で変動する。すなわち、制御電圧Ｖ１を変動させるのみで、各固体発光素子群Ｌによる混色光の色度を維持した状態で、出力のみを変動させることができるので、混色光の出力調整が容易となる。
【０１１４】
（実施形態６）
本実施形態の照明装置１０の外観図を図１１（ａ）（ｂ）に示す。
【０１１５】
本実施形態の照明装置１０は、ダウンライトで構成されており、筒状の器具本体１１の内部に実施形態１〜６のうちいずれか１つの発光装置１を収納している。また、図１１（ｂ）に示すように、器具本体１１の内部に設けられた実装基板１２に、複数の固体発光素子が実装されることで、固体発光素子群Ｌｒ，Ｌｇ，Ｌｂを構成しており、固体発光素子群Ｌｒ，Ｌｇ，Ｌｂは発光装置１によって点灯制御される。また、器具本体１１の開口を覆うように透光パネル１３が設けられ、固体発光素子群Ｌｒ，Ｌｇ，Ｌｂによる混色光を、透光パネル１３を介して外部に照射する。
【０１１６】
本実施形態の照明装置１０は、実施形態１〜６のうちいずれか１つの発光装置１を備えているので、上記同様の効果を得ることができ、目標出力比に対する固体発光素子群Ｌｒ，Ｌｇの比のバラツキが低減される。それによって、各固体発光素子群Ｌによる混色光の偏差ｄｕｖが低減し、色再現性が向上する。
【符号の説明】
【０１１７】
１    発光装置
２    点灯制御部
３    色比率設定部
４    出力制御部
２１  駆動回路
２２  制御回路
２３  誤差増幅器
２４  電流検出部
２５  ピーク電流検出部
３１  マイコン
Ｌ    固体発光素子群
【図１】
0005891430.tif 000002
【図２】
0005891430.tif 000003
【図３】
0005891430.tif 000004
【図４】
0005891430.tif 000005
【図５】
0005891430.tif 000006
【図６】
0005891430.tif 000007
【図７】
0005891430.tif 000008
【図８】
0005891430.tif 000009
【図９】
0005891430.tif 000010
【図１０】
0005891430.tif 000011
【図１１】
0005891430.tif 000012
【図１２】
0005891430.tif 000013
【図１３】
0005891430.tif 000014